(57)【要約】  【課題】  後付けされるオプションユニットの接続を単純な構成によって精度良く検出することができる接続検出回路を提供する。  【解決手段】  電源部２１と、追加カセット２２の動作を制御するためのトランジスタ２３のコレクタとの間に接続検出部２０を設ける。接続検出部２０は、追加カセット２２の接続を検出するためのトランジスタ２４を有し、トランジスタ２４のコレクタを抵抗２５を介して電源部２１に、ベースを抵抗２６を介してトランジスタ２３のコレクタにそれぞれ接続してある。追加カセット２２が電源部２１及びトランジスタ２３のコレクタ間に接続された場合、追加カセット２２を介してトランジスタ２３のコレクタ側に電源部２１からの電圧が印加される。これにより、抵抗２６を介してトランジスタ２４のベースに電圧がかかり、トランジスタ２４が導通状態となり、トランジスタ２４のコレクタに接続されている制御部１へローレベルの信号を送出する。【選択図】        図２
2005268957.tif 000002
【特許請求の範囲】
【請求項１】
電源とスイッチとの間における負荷の接続を検出する接続検出回路において、
前記負荷が接続された場合に前記負荷を介して前記電源からの電圧が印加され、検出信号を出力する検出部を前記負荷及びスイッチ間に備えることを特徴とする接続検出回路。
【請求項２】
電源とトランジスタのコレクタとの間における負荷の接続を検出する接続検出回路において、
そのコレクタ及びベースを、前記電源及び前記トランジスタのコレクタにそれぞれ接続し、前記負荷が接続された場合に前記負荷を介して前記電源からの電圧が前記ベースに印加される検出用トランジスタを備えることを特徴とする接続検出回路。
【請求項３】
前記負荷は、電流駆動装置であることを特徴とする請求項１又は２に記載の接続検出回路。
【発明の詳細な説明】
【技術分野】
【０００１】
本発明は、オプションユニットとして後付けされた負荷の接続を検出する接続検出回路に関するものである。
【背景技術】
【０００２】
ファクシミリ装置、複合機等に代表される比較的大型で精密な電子機器は、機器全体としての動作を制御するＣＰＵ（Central Processing Unit ）又はＭＰＵ（Micro Processor Unit）等の制御部を搭載したメイン回路基板と、複数の周辺回路基板とにより構成されている。複合機における周辺回路基板としては、例えば、原稿画像を読み取って画像データを取得する読取部を構成するスキャナ基板、読取部にて取得した画像データを記録用紙等に記録する記録部を構成するプリンタ基板、公衆電話回線網を含むネットワークを介して画像データの送受信を行なう通信インタフェースを構成する通信制御基板、及び操作パネル等がある。
【０００３】
このような電子機器においては、オプションユニットを例えばメイン回路基板に接続し、メイン回路基板に搭載された制御部によってオプションユニットに応じた制御を行なうことにより機能拡張を可能としている（例えば、特許文献１参照）。具体的には、オプションユニットが接続された場合、制御部はオプションユニットとの間で信号の送受信を行なって接続されたオプションユニットの種類を検出する。ここで、オプションユニットを制御するための制御回路及び制御プログラムを予めメイン回路基板等に搭載されたメモリに記憶させておくことにより、制御部は、接続されたオプションユニットの動作を制御することができる。
【０００４】
上述した構成において、例えば、接続される可能性のあるオプションユニットに応じた端子（ピン）を制御部に設けることにより、制御部が各端子（ピン）の論理に基づいてどのオプションユニットが接続されたかを検出することができる。また、接続されるオプションユニットの種類を検出するためのセンサを予め設けることにより、センサからの出力信号に応じて制御部がどのオプションユニットが接続されたかを検出することもできる。
【特許文献１】特開平５−８８８２４号公報
【発明の開示】
【発明が解決しようとする課題】
【０００５】
しかし、上述したような検出用の端子（ピン）又はセンサは、接続されたオプションユニットを検出するためだけに設けられるものであり、電子機器としての本来の動作には関係がなく、このような電子機器の動作としては不要な回路により回路規模が増大するおそれがあるという問題がある。
【０００６】
本発明は斯かる事情に鑑みてなされたものであり、後付けされるオプションユニットの接続を単純な構成によって精度良く検出することができる接続検出回路を提供することを目的とする。
【課題を解決するための手段】
【０００７】
本発明に係る接続検出回路は、電源とスイッチとの間における負荷の接続を検出する接続検出回路において、前記負荷が接続された場合に前記負荷を介して前記電源からの電圧が印加され、検出信号を出力する検出部を前記負荷及びスイッチ間に備えることを特徴とする。
【０００８】
本発明による場合は、電源とスイッチとの間に負荷の接続が可能な回路において、前記負荷及びスイッチ間に検出部を備え、前記負荷が接続された場合に前記負荷を介して前記電源からの電圧が前記検出部に印加されることにより、前記検出部が検出信号を出力する。これにより、検出部が出力する検出信号に応じて後付けされた負荷の接続を検出することが可能となる。
【０００９】
本発明に係る接続検出回路は、電源とトランジスタのコレクタとの間における負荷の接続を検出する接続検出回路において、そのコレクタ及びベースを、前記電源及び前記トランジスタのコレクタにそれぞれ接続し、前記負荷が接続された場合に前記負荷を介して前記電源からの電圧が前記ベースに印加される検出用トランジスタを備えることを特徴とする。
【００１０】
本発明による場合は、電源とトランジスタのコレクタとの間に負荷の接続が可能な回路において、前記負荷及びトランジスタ間に検出用トランジスタを備え、該検出用トランジスタのコレクタ及びベースのそれぞれを、前記電源及び前記トランジスタのコレクタに接続し、前記負荷が接続された場合に前記負荷を介して前記電源からの電圧が前記検出用トランジスタのベースに印加されることにより、検出用トランジスタが導通状態となる。これにより、検出用トランジスタのコレクタ側の電圧が変化し、後付けされた負荷の接続を検出することが可能となる。
【００１１】
本発明に係る接続検出回路は、前記負荷は、電流駆動装置であることを特徴とする。
【００１２】
本発明による場合は、後付けされる負荷が電流駆動装置であることにより、電源及びスイッチの間に接続される負荷の前記スイッチ側の電圧の変化に基づいて、前記負荷の接続を検出することが可能となる。
【発明の効果】
【００１３】
本発明によれば、電源とスイッチとの間に負荷を接続した場合、前記負荷及びスイッチ間に備えた検出部に、前記負荷を介して電源からの電圧が印加され、該検出部が検出信号を出力する。これにより、後付けされる負荷の接続を検出するために各種の端子（ピン）又はセンサを別途に設ける必要がなく、前記検出部が出力する検出信号に応じて後付けされた負荷の接続を検出することができ、電子機器としての動作に不要な回路を削減することができる。
【００１４】
本発明によれば、電源とトランジスタのコレクタとの間に負荷を接続した場合、前記負荷及びトランジスタ間に備えた検出用トランジスタのベースに、前記負荷を介して電源からの電圧が印加され、該検出用トランジスタが導通状態となる。これにより、負荷の接続を検出するための端子（ピン）を又はセンサを別途に設ける必要がなく、前記検出用トランジスタのコレクタ側の電圧の変化に基づいて、後付けされた負荷の接続を検出することができる。
【００１５】
本発明によれば、後付けされる負荷が電流駆動装置であることにより、電源及びスイッチの間に接続される負荷の前記スイッチ側の電圧の変化に基づいて、単純な構成によって後付けされた負荷の接続を精度良く検出することができる。
【発明を実施するための最良の形態】
【００１６】
以下に、本発明に係る接続検出回路をその実施の形態を示す図面に基づいて詳述する。図１は本発明に係る接続検出回路を備えた複合機の構成例を示すブロック図であり、図中１００は複合機を示している。なお、本実施の形態では、複合機１００が行なう画像形成処理に用いる記録用紙の給紙カセットを増設した場合に、増設された給紙カセット（以下、追加カセットという）の接続を検出する接続検出回路について説明する。なお、追加カセットは、例えばクラッチ等の電流駆動型の装置を有している。
【００１７】
複合機１００は、制御部１、ＲＯＭ２、ＲＡＭ３、ＮＣＵ(Network Control Unit)４、モデム５、読取部６、画像処理部７、画像メモリ８、操作パネル９、通信インタフェース１０、記録部１１、接続検出部２０等を備えており、夫々はバス１２を介して相互に接続されている。
【００１８】
制御部１は、具体的にはＣＰＵ又はＭＰＵ等で構成されており、バス１２を介して接続される上述したようなハードウェア各部を制御すると共に、ＲＯＭ２に予め格納された制御プログラムに従って、種々のソフトウェア的機能を実現する。ＲＡＭ３は、ＳＲＡＭ又はフラッシュメモリ等で構成され、制御部１による制御プログラムの実行時に発生するデータを一時的に記憶する。
【００１９】
モデム５は、ファクシミリ通信が可能なファックスモデムで構成されており、ＮＣＵ４と直接的にも接続されている。ＮＣＵ４は、公衆電話回線網Ｌと接続されており、必要に応じてモデム５を公衆電話回線網Ｌと接続し、公衆電話回線網Ｌを介して外部の装置との間でのファクシミリ通信を可能としている。通信インタフェース１０は、図示しないネットワークを介して接続される外部のコンピュータ等の装置との間で画像データを送受信する。
【００２０】
読取部６は、例えばＣＣＤ(Charge Coupled Device)を利用したスキャナで原稿を読み取り、取得した画像データを画像処理部７へ入力する。画像処理部７は、読取部６から取得した画像データに所定の画像処理を行なって画像メモリ８に記憶させる。画像メモリ８は、ＤＲＡＭ等により構成されており、画像処理部７から取得した画像データを記憶する。操作パネル９は、複合機１００の操作のために必要な情報を表示する液晶パネル等の表示部と、ユーザの操作により制御命令などの情報が入力されるタッチパネル又はテンキー等の入力部とにより構成してある。
【００２１】
記録部１１は、電子写真方式のプリンタ装置であって、Ａ３縦，Ｂ４縦，Ａ４縦，Ｂ５横及びＡ５横等の各サイズの記録紙又はＯＨＰシートから最適なサイズのものを選択し、それぞれの給紙カセットから搬送される記録紙又はＯＨＰシートに、画像メモリ１７に記憶してある画像データを、ハードコピーとして記録する。接続検出部２０は、本発明の接続検出回路によって構成されており、記録部１１に増設された追加カセットの接続状態を検出する。なお、給紙カセットに限られず、機能拡張を行なうために後付けされたハードウェア各部の接続の検出も同様の回路構成によって実現することが可能である。
【００２２】
図２は接続検出部２０の要部構成を示す回路図である。図２（ａ）に示すように、接続検出部２０は、複合機１００を構成するハードウェア各部に電力を供給する電源部（電源）２１と、エミッタが接地されているＭＯＳ−トランジスタ（以下、トランジスタという）（スイッチ）２３のコレクタとの間に設けられている。本実施の形態では、追加されるオプションユニットとしての追加カセット（負荷）２２は電源部２１とトランジスタ２３のコレクタとの間に接続される。トランジスタ２３のベースには、抵抗２３ａを介して例えば制御部１からのオン信号（制御信号）が入力される。これにより、電源部２１とトランジスタ２３のコレクタとの間に接続された追加カセット２２の動作を、トランジスタ２３のベースに入力される制御信号によって制御することができる。
【００２３】
接続検出部２０は、追加カセット２２の接続を検出するためのトランジスタ（検出部、検出用トランジスタ）２４を有しており、トランジスタ２４は、コレクタが抵抗２５を介して電源部２１に、ベースが抵抗２６を介してトランジスタ２３のコレクタにそれぞれ接続されたエミッタ接地トランジスタである。トランジスタ２４のコレクタは、バス１２を介して制御部１にも接続されている。
【００２４】
上述した構成の接続検出部２０において、追加カセット２２が電源部２１及びトランジスタ２３のコレクタ間に接続された場合、追加カセット２２を介してトランジスタ２３のコレクタ側に電源部２１からの電圧が印加される。これにより、抵抗２６を介してトランジスタ２４のベースに電圧がかかり、トランジスタ２４が導通状態となり、トランジスタ２４は、自身のコレクタが接続されている制御部１へローレベルの信号を送出する。従って、制御部１は、トランジスタ２４からの信号に基づいて、追加カセット２２が接続されたことを検出することができ、接続された追加カセット２２に制御処理を開始することができる。
【００２５】
上述した実施の形態では、接続される追加カセット２２を制御するためにオープンコレクタ方式のトランジスタ２３を用いているが、例えばオープンドレイン方式のＭＯＳ−ＦＥＴ（Metal Oxide Semiconductor−Field Effect Transistor：電界効果トランジスタ）を利用することもできる。図２（ｂ）は、図２（ａ）中のトランジスタ２３の替わりにＭＯＳ−ＦＥＴ２８を用いた例を示している。なお、他の電子部品は同様の構成を有しているため、図２（ｂ）においては省略する。
【００２６】
図２（ｂ）に示すように、ＭＯＳ−ＦＥＴ２８は、ソース２８Ｓが接地されており、ドレイン２８Ｄが抵抗２６を介してトランジスタ２４のベースに接続されている。また、ＭＯＳ−ＦＥＴ２８のゲート２８Ｇには、追加カセット２２を制御する際の制御信号（オン信号）が抵抗２３ａを介して入力される。なお、追加される追加カセット２２は電源部２１とＭＯＳ−ＦＥＴ２８のドレイン２８Ｄとの間に接続される。
【００２７】
このように、ＭＯＳ−ＦＥＴ２８を追加カセット２２の制御スイッチとして構成してある場合であっても、追加カセット２２が電源部２１及びＭＯＳ−ＦＥＴ２８のドレイン２８Ｄ間に接続された場合に、接続検出部２０は、図２（ａ）に示す回路構成の場合と同様に、追加カセット２２の接続を検出することができる。
【００２８】
なお、上述した実施の形態では、追加カセット２２の接続を検出するためのトランジスタ２４のコレクタが制御部１に接続され、追加カセット２２の接続を示す検出信号が制御部１へ出力される構成をなしているが、例えば、トランジスタ２４のコレクタを、記録部１１内に設けられ、制御部１からの制御に従って記録部１１を制御する記録制御部と接続し、トランジスタ２４からの検出信号を記録制御部へ入力する構成とすることもできる。
【図面の簡単な説明】
【００２９】
【図１】本発明に係る接続検出回路を備えた複合機の構成例を示すブロック図である。
【図２】接続検出部の要部構成を示す回路図である。
【符号の説明】
【００３０】
１００  複合機
１  制御部
２０  接続検出部（接続検出回路）
２１  電源部（電源）
２２  追加カセット（負荷）
２３  ＭＯＳ−トランジスタ（スイッチ）
２４  ＭＯＳ−トランジスタ（検出部）
【図１】
2005268957.tif 000003
【図２】
2005268957.tif 000004